(57)【要約】【課題】保護カバーに関する構成を簡略化できる可搬型電子機器を提供する。【解決手段】可搬型デジタルフォトフレーム１０は、周方向に４つのエリアＥ１〜Ｅ４に区分けされた円筒形の本体部１２と、前記本体部１２の少なくとも一部を収容して前記本体部１２の周面を保護する筒状カバー１４であって、その周面に１つのエリアを外部に露出させる開口部３０が形成された筒状カバー１４と、を備える。前記筒状カバー１４は、当該筒状カバー１４で保護するエリアを切り替えるべく前記本体部１２に対して回動可能である。【選択図】図２
2015158718.tif 000002
【特許請求の範囲】
【請求項１】
可搬型電子機器であって、
周方向に２以上のエリアに区分けされた円筒形の本体部と、
前記本体部の少なくとも一部を収容して前記本体部の周面を保護する筒状カバーであって、その周面に１以上のエリアを外部に露出させる開口部が形成された筒状カバーと、
を備え、
前記筒状カバーは、当該筒状カバーで保護するエリアを切り替えるべく前記本体部に対して回動可能である、
ことを特徴とする可搬型電子機器。
【請求項２】
請求項１に記載の可搬型電子機器であって、
前記本体部は、少なくとも、保護対象要素が配置されておらず、可搬時に前記開口部を介して外部に露出させられるブランクエリアを有する、ことを特徴とする可搬型電子機器。
【請求項３】
請求項１または２に記載の可搬型電子機器であって、
前記本体部は、保護対象要素が配置された保護対象エリアを２以上有しており、
前記筒状カバーは、前記２以上の保護対象要素を同時に保護する保護カバーとして機能する、
ことを特徴とする可搬型電子機器。
【請求項４】
請求項１から３のいずれか１項に記載の可搬型電子機器であって、
前記本体部が、前記筒状カバーの軸方向に並んで、複数設けられており、
前記筒状カバーは、前記複数の本体部それぞれに対応する開口部が軸方向に並んで設けられている、
ことを特徴とする可搬型電子機器。
【発明の詳細な説明】
【技術分野】
【０００１】
本発明は、自由に持ち運びされる可搬型の電子機器に関する。
【背景技術】
【０００２】
従来から、携帯して利用する電子機器、例えば、携帯音楽プレーヤーや、デジタルカメラ、可搬型のフォトフレーム等が広く知られている。かかる電子機器では、その表面に、表示用のディスプレイや、操作ボタン、電力供給のための電池の装着部等が設けられている。適宜、持ち運ぶ必要のある可搬型電子機器では、こうしたディスプレイや操作ボタン、電池装着部を保護するための保護カバーが必要となっていた。しかし、ディスプレイや、操作ボタン、電池装着部ごとに保護カバーを設けることは、部品点数の増加や、コストの増加、ユーザビリティの低下といった問題を招いていた。
【先行技術文献】
【特許文献】
【０００３】
【特許文献１】特開２００３−２３１４２６号公報
【発明の概要】
【発明が解決しようとする課題】
【０００４】
ここで、特許文献１には、車載装置の機能を切り替えるための、略円筒形の機能選択切替装置が開示されている。この機能選択切替装置は、複数の機能名が周方向に並んだ円筒状の表示部材を、窓が形成された円筒状の収容部材に収容しており、表示部材を収容部材に対して回動させることで窓に表示される情報を切り替えるとともに車載装置の機能を表示された情報に応じた機能に切り替える構成となっている。
【０００５】
しかし、この特許文献１の技術は、車載の電子機器に適用することを想定しており、自由に持ち運ぶ可搬型電子機器への適用は想定されていない。また、特許文献１の技術は、あくまで、表示される情報の切り替えを目的としており、ディスプレイ等の保護に関しては何ら想定されていない。
【０００６】
つまり、従来、可搬型電子機器において、保護カバーに関する構成を簡易化できる技術はなかった。そこで、本発明では、保護カバーに関する構成を簡略化できる可搬型電子機器を提供することを目的とする。
【課題を解決するための手段】
【０００７】
本発明の可搬型の電子機器は、周方向に２以上のエリアに区分けされた円筒形の本体部と、前記本体部の少なくとも一部を収容して前記本体部の周面を保護する筒状カバーであって、その周面に１以上のエリアを外部に露出させる開口部が形成された筒状カバーと、を備え、前記筒状カバーは、当該筒状カバーで保護するエリアを切り替えるべく前記本体部に対して回動可能である、ことを特徴とする。
【０００８】
好適な態様では、前記本体部は、少なくとも、保護対象要素が配置されておらず、可搬時に前記開口部を介して外部に露出させられるブランクエリアを有する。
【０００９】
他の好適な態様では、前記本体部は、保護対象要素が配置された保護対象エリアを２以上有しており、前記筒状カバーは、前記２以上の保護対象要素を同時に保護する保護カバーとして機能する。
【００１０】
他の好適な態様では、前記本体部が、前記筒状カバーの軸方向に並んで、複数設けられており、前記筒状カバーは、前記複数の本体部それぞれに対応する開口部が軸方向に並んで設けられている。
【発明の効果】
【００１１】
本発明によれば、円筒形の本体部に対して回動可能な円筒形の筒状カバーで本体部の周面を保護する構成としている。そのため、一つの筒状カバーで保護する部位を切り替えることができるため、部位ごとに保護カバーを設ける必要がなく、保護カバーに関する構成を簡略化できる。
【図面の簡単な説明】
【００１２】
【図１】第一実施形態である可搬型デジタルフォトフレームの概略斜視図である。
【図２】デジタルフォトフレームの横断面図である。
【図３】デジタルフォトフレームの一端側における横断面図である。
【図４】図４におけるＡ−Ａ断面図である。
【図５】第二実施形態である可搬型ラジオの概略斜視図である。
【図６】可搬型ラジオの横断面図である。
【図７】第三実施形態であるポータブルオーディオプレーヤーの概略正面図である。
【発明を実施するための形態】
【００１３】
以下、本発明の実施形態について図面を参照して説明する。図１は、本発明の実施形態である可搬型デジタルフォトフレーム１０の概略斜視図である。また、図２は、デジタルフォトフレーム１０の概略横断面図である。
【００１４】
デジタルフォトフレーム１０は、ＳＤメモリカード等の記録媒体１０２に記録された写真データを表示するための装置である。本実施形態のデジタルフォトフレーム１０は、円筒形の本体部１２と、当該本体部１２の外周囲に取り付けられた円筒形の筒状カバー１４とに大別される。本体部１２は、円筒形となっており、その周面には、写真データを表示するディスプレイ１６や、記録媒体１０２が挿し込まれ装着される媒体装着穴１８、電池１００が取り付けられ装着される電池装着穴２０が周方向に間隔をあけて形成されている。また、本体部１２の内部には、ディスプレイ１６や電池１００、記録媒体１０２と電気的に接続された回路基板２８が設けられている。
【００１５】
本実施形態では、本体部１２の周面は、周方向に四つのエリアＥ１〜Ｅ４に等分されており、ディスプレイ１６、媒体装着穴１８、電池装着穴２０は、互いに異なるエリアに配置されている。以下では、ディスプレイ１６が配置されたエリアを表示エリアＥ１、媒体装着穴１８が配置されたエリアを媒体装着エリアＥ２、電池装着穴２０が形成されたエリアを電池装着エリアＥ４、要素が何も配置されていないエリアをブランクエリアＥ３と呼ぶ。
【００１６】
筒状カバー１４は、一端が閉塞され、他端が開口された筒体である。この筒状カバー１４は、本体部１２より短くなっており、筒状カバー１４の他端からは本体部１２の他端が突出している。この本体部１２の突出部分を掴んだ状態で、筒状カバー１４を周方向に回すことで、筒状カバー１４は、本体部１２に対して回動できるようになっている。この回動を許容するために、筒状カバー１４および本体部１２は、図３、図４に示す構成を有している。
【００１７】
図３は、デジタルフォトフレーム１０の一端側における縦断面図、図４は、筒状カバーのＡ−Ａ断面図である。図３に示す通り、筒状カバー１４の一端からは、外周壁３２と同心で環状のカバー側リブ３４が突出しており、当該カバー側リブ３４と外周壁３２との間には、カバー側ガイド溝３６が形成されている。また、本体部１２の一端面には、カバー側リブ３４の内側に入り込む円筒部３８と、カバー側ガイド溝３６に入り込む環状の本体側リブ４０が設けられており、円筒部３８と本体側リブ４０との間には、カバー側リブ３４が入り込む本体側ガイド溝４２が形成されている。また、円筒部３８には、ラッチ部材４４が進退するための貫通孔が９０度間隔で合計四つ形成されている。ラッチ部材４４は、先端が略球状の部材である。このラッチ部材４４は、バネ４６により径方向外側に付勢されている。カバー側リブ３４の内周面には、このラッチ部材４４の先端が入り込むためのラッチ用凹３７が９０度間隔で合計四つ形成されている。
【００１８】
以上のような構成のデジタルフォトフレーム１０において、ユーザが、本体部１２を把持した状態で、筒状カバー１４を周方向に回すと、筒状カバー１４は、ガイド溝３６，４２によりガイドされ、筒状カバー１４の中心軸回りに回動する。そして、筒状カバー１４が本体部１２に対して９０度回動する度に、ラッチ部材４４がラッチ用凹３７部に嵌り込み、その回動を一時的に停止させる。
【００１９】
ところで、図１、図２から明らかな通り、筒状カバー１４の外周壁３２には、開口部３０が形成されている。ユーザは、必要に応じて、筒状カバー１４を本体部１２に対して回動させ、この開口部３０の位置を変更することで、デジタルフォトフレーム１０の機能を切り替える。例えば、写真データを閲覧したい場合には、開口部３０を表示エリアＥ１に位置させる。また、電池１００を交換したい際には、開口部３０を電池装着エリアＥ４に、記録媒体１０２を交換したい際には、開口部３０を媒体装着エリアＥ２に位置させる。また、デジタルフォトフレーム１０を持ち運ぶ際には、開口部３０をブランクエリアＥ３に位置させ、表示エリアＥ１、電池装着エリアＥ４、媒体装着エリアＥ２を外周壁３２で覆って保護する。
【００２０】
つまり、本実施形態によれば、本体部１２に設けられた四つのエリアのうち、一つのエリアだけが、この開口部３０を介して外部に露出しており、その他のエリアは、筒状カバー１４の外周壁３２により覆われ保護される。そして、筒状カバー１４を回動させることで、当該筒状カバー１４の外周壁３２で覆われ保護されるエリアを適宜、変更できるようになっている。かかる構成とすることで、各エリアごとに保護カバー部材を設ける必要がなく、部品点数を大幅に低減できる。
【００２１】
すなわち、デジタルフォトフレーム１０では、記録媒体を装着する媒体装着穴や、電池を装着する電池装着穴２０が必須となる。こうした装着穴は、媒体および電池の着脱操作時以外には、媒体および電池の意図しない脱落や粉塵の内部への進入を防止するために、何らかのカバー部材で覆われ、保護されることが必要となる。また、可搬型のデジタルフォトフレームでは、持ち運びの際に、ディスプレイを破損等を防止するために、当該ディスプレイを覆って保護するカバー部材も必要となる。
【００２２】
従来の可搬型デジタルフォトフレームでは、こうした媒体装着穴、電池装着穴、ディスプレイ等の保護対象要素ごとに、カバー部材を設けていた。しかし、このように保護対象要素ごとにカバー部材を設けることは、部品点数の増加、ひいては、コストの増加を招いていた。また、従来のカバー部材の多くは、本体部に対して開閉するために、ヒンジ構造や、爪構造を有していたが、一般に、こうしたヒンジ構造や爪構造は、非常に微細な部位を有しており、破損劣化しやすかった。つまり、従来のデジタルフォトフレームでは、破損劣化しやすいカバー部材を、保護対象要素ごとに設ける必要があり、部品点数やコストが増加し、また、破損が生じやすいといった問題があった。
【００２３】
かかる問題を避けるために、本実施形態では、本体部１２に対して回動可能な筒状カバー１４を設け、当該筒状カバー１４を、媒体装着穴１８、電池装着穴２０、ディスプレイ１６を覆って保護する保護カバーとしている。この場合、一つの筒状カバー１４が、複数のエリア（保護対象要素）を覆って保護できるため、各エリアごとに保護カバー部材を設ける必要がなく、部品点数を低減できる。また、これまでの説明で明らかな通り、本実施形態では、筒状カバー１４を本体部１２に対して回動させるだけで、当該筒状カバー１４で保護する部位を切り替えることができる。換言すれば、ヒンジ構造や爪構造を設けなくても、保護対象要素（媒体装着穴１８、電池装着穴２０、ディスプレイ１６）を保護する保護状態と保護対象部を外部に露出させる状態とを切り替えることが可能となっている。その結果、ヒンジ構造や爪構造のように破損劣化しやすい部位を無くすことができる。
【００２４】
また、本実施形態では、本体部１２に、保護対象要素が全く配置されていないブランクエリアＥ３を設けている。持ち運び時には、開口部３０をこのブランクエリアＥ３に位置させておくことで、その他の保護対象要素（媒体装着穴１８、電池装着穴２０、ディスプレイ１６）が外部に露出するのを防ぐことができる。
【００２５】
なお、筒状カバー１４の外周壁３２と、本体部１２の外周面との間の間隙に異物が侵入することを防止するために、開口部３０の周縁に、ゴム等からなるシール部材を設けてもよい。また、筒状カバー１４の回転角度を検知するセンサ、スイッチ等を設け、筒状カバー１４の回転角度に応じて、デジタルフォトフレーム１０の運転状況を切り替えるようにしてもよい。例えば、開口部３０が、表示エリアＥ１に位置している場合にのみ、電源をＯＮし、その他の位置では、自動的に電源をＯＦＦにするようにしてもよい。また、本実施形態では、本体部１２の周面を四つのエリアに等分しているが、配置する機能数に応じて等分するエリアを増減してもよい。また、配置する機能や順番は、製品形態に応じて変更してもよいことはいうまでもない。
【００２６】
次に、他の実施形態について図５、図６を参照して説明する。図５は、第二実施形態である可搬型ラジオ５０の概略斜視図である。また、図６は、可搬型ラジオ５０の概略横断面図である。この可搬型ラジオ５０も、第一実施形態と同様に、円筒形の本体部１２と、円筒形の筒状カバー１４を有している。本体部１２の周面は、四つのエリア、すなわち、表示エリアＥ１、操作エリアＥ２、ブランクエリアＥ３、電池装着エリアＥ４に区分けされている。表示エリアＥ１には、時刻や受信周波数（チャンネル周波数）等を表示するディスプレイ１６が配置されている。また、操作エリアには、ラジオ５０放送の音声を出力するスピーカー５２と、各種操作ボタン５４と、が配されている。第一実施形態と同様に、筒状カバー１４には、一つのエリアだけを外部に露出させる開口部３０が形成されており、この開口部３０の位置は、筒状カバー１４を本体部１２に対して回動させることで変更可能となっている。そして、筒状カバー１４を回動させることで、当該筒状カバー１４で保護される部位を適宜、切り替えることができる。
【００２７】
つまり、第二実施形態でも、第一実施形態と同様に、一つの筒状カバー１４で複数の保護対象部を保護することができ、また、ヒンジ構造や爪構造のように破損しやすい構造を無くすことができる。等分するエリア数や配置する機能・順番等は、第一実施形態と同様に、製品形態に応じて変更してもよい。
【００２８】
次に、第三実施形態について図７を参照して説明する。図７は、第三実施形態であるポータブルオーディオプレーヤー６０の正面図である。
【００２９】
このポータブルオーディオプレーヤー６０は、円筒形の筒状カバー１４の内部に、二つの本体部、すなわち、第一本体部１２ａおよび第二本体部１２ｂを収容している。第一本体部１２ａおよび第二本体部１２ｂは、いずれも、円筒形となっている。第一本体部１２ａおよび第二本体部１２ｂは、軸方向に並んで筒状カバー１４に収容されており、その一端が筒状カバー１４の端部から突出している。
【００３０】
第一本体部１２ａの周面は、周方向に四つのエリア、すなわち操作ボタン５４が並ぶ操作エリア、電池装着穴２０が形成された電池装着エリア、媒体装着穴１８が形成された媒体装着エリア、および、可搬時に外部に露出するブランクエリアに区分けされている。筒状カバー１４の周壁には、この四つのエリアのうち、一つだけを外部に露出するための第一開口部３０ａが形成されている。なお、図７の（ａ）は、操作エリアを、（ｂ）は電池装着エリアを、（ｃ）は媒体装着エリアを、それぞれ第一開口部３０ａを介して外部に露出させた状態を示している。
【００３１】
第二本体部１２ｂの周面には、動作状況を表示するためのディスプレイ１６が一つ配置されている。すなわち、第二本体部１２ｂの周面のうち、このディスプレイ１６が配置された部分は、表示エリアとなり、その他の部位は、保護対象要素が配置されていないブランクエリアとなる。筒状カバー１４の周壁のうち、第一開口部３０ａの軸方向隣には、この第二本体部１２ｂの表示エリアまたはブランクエリアを外部に露出させるための第二開口部３０ｂが形成されている。
【００３２】
第一本体部１２ａおよび第二本体部１２ｂは、いずれも、互いに独立して、筒状カバー１４に対して回動可能となっている。二つの本体部１２を独立して回動可能とすることで、第二本体部１２ｂのディスプレイ１６を外部に露出させたまま、第一本体部１２ａにおいて露出させるエリアを切り替えることができる。
【００３３】
可搬時には、第一開口部３０ａを介して第一本体部１２ａのブランクエリアが外部に露出するように、第一本体部１２ａを筒状カバー１４に対して回動させる。同様に、第二開口部３０ｂを介して第二本体部１２ｂのブランクエリアが外部に露出するように、第二本体部１２ｂを筒状カバー１４に対して回動させる。これにより、操作エリア、電池装着エリア、媒体装着エリア、表示エリアは、筒状カバー１４に覆われて保護される。つまり、本実施形態でも、一つの筒状カバー１４で、複数の保護対象要素を同時に保護することができ、また、ヒンジ構造や爪構造のように破損しやすい構造を無くすことができる。
【００３４】
なお、本実施形態では、第一本体部１２ａと第二本体部１２ｂとを完全に独立した構成としているが、例えば、第一本体部１２ａのブランクエリアが露出するように第一本体部１２ａを回動させた場合、第二本体部１２ｂも連動して回動し、第二本体部１２ｂのブランクエリアが外部に露出するようにしてもよい。また、第二本体部１２ｂにも複数の機能を配置するようにしてもよい。等分するエリア数や配置する機能・順番等は、第一実施形態や第二実施形態と同様に、製品形態に応じて変更してもよい。
【００３５】
また、本実施形態では、本体部の個数を二つとしているが、より多数の本体部を互いに独立して回動可能な状態で軸方向に並べるようにしてもよい。また、第一〜第三実施形態の技術は、可搬型の電子機器であれば、他の種類の電子機器、例えば、携帯電話や、ウェアラブルコンピュータ、デジタルカメラ等に適用されてもよい。
【符号の説明】
【００３６】
１０  デジタルフォトフレーム、１２  本体部、１４  筒状カバー、１６  ディスプレイ、１８  媒体装着穴、２０  電池装着穴、２８  回路基板、３０  開口部、５０  可搬型ラジオ、５２  スピーカー、５４  操作ボタン、６０  ポータブルオーディオプレーヤー、１００  電池、１０２  記録媒体。
【図１】
2015158718.tif 000003
【図２】
2015158718.tif 000004
【図３】
2015158718.tif 000005
【図４】
2015158718.tif 000006
【図５】
2015158718.tif 000007
【図６】
2015158718.tif 000008
【図７】
2015158718.tif 000009